(57)【要約】【課題】  少なくとも２層の記録層を備える多層構造の光ディスク及び当該光ディスクの記録層識別方法を提供する。【解決手段】  多層構造の光ディスクは、少なくとも２層の記録層を備え、各記録層では、トラックが形成されており、前記トラックは、その偏心量が各記録層で異なるように形成されている。当該光ディスクの記録層を識別する記録層識別方法では、前記各記録層のトラックに設定された偏心量を検出することにより、記録層を識別する。【選択図】  図１
2005276323.tif 000002
【特許請求の範囲】
【請求項１】
少なくとも２層の記録層を備え、各記録層では、トラックが形成されている多層構造の光ディスクであって、
前記トラックは、その偏心量が各記録層で異なるように形成されていることを特徴とする光ディスク。
【請求項２】
少なくとも２層の記録層を備え、各記録層では、トラックが形成されている多層構造の光ディスクであって、
前記トラックは、そのトラックからの反射光に基づいて得られるプッシュプル信号の振幅が各記録層で異なるように形成されていることを特徴とする光ディスク。
【請求項３】
少なくとも２層の記録層を備え、各記録層では、グルーブが形成されており、当該グルーブは、半径方向に所定の周期でウォブルされている多層構造の光ディスクであって、
前記グルーブは、前記所定の周期より短い周期の高周波信号が重畳されてウォブルされており、前記重畳される高周波信号の周期は、各記録層により異なるように設定されていることを特徴とする光ディスク。
【請求項４】
請求項１記載の光ディスクの記録層を識別する記録層識別方法であって、
前記各記録層のトラックに設定された偏心量を検出することにより、記録層を識別することを特徴とする記録層識別方法。
【請求項５】
請求項２記載の光ディスクの記録層を識別する記録層識別方法であって、
前記各記録層のトラックからの反射光に基づいて得られるプッシュプル信号の振幅を検出することにより、記録層を識別することを特徴とする記録層識別方法。
【請求項６】
請求項３記載の光ディスクの記録層を識別する記録層識別方法であって、
前記各記録層のグルーブのウォブルに重畳された高周波信号を検出することにより、記録層を識別することを特徴とする記録層識別方法。
【発明の詳細な説明】
【技術分野】
【０００１】
本願は、多層構造の光ディスク及び当該光ディスクの記録層識別方法に関し、より詳細には、少なくとも２層の記録層を備える多層構造の光ディスク及び当該光ディスクの記録層識別方法に関する。
【背景技術】
【０００２】
現在、光ディスクの大容量化を達成するために、２層の記録層が積層されている光ディスクが提案されている。この種の光ディスクでは、情報の記録再生の際に、記録再生に使用する光ビームのパワー等の各種のパラメータを各記録層に応じて設定する必要があり、このため、各記録層を識別する必要が生じる。そこで、光ディスクの第１記録層及び第２記録層には、それぞれ、当該第１記録層及び第２記録層を識別するための識別フォーマットが設けられており、この識別フォーマットを読取ることにより、記録層が第１記録層であるか第２記録層であるかを識別している。この種の記録層識別方法では、記録層に設けられた識別フォーマットを読取るので、記録層の識別に時間が掛かっている。
【０００３】
先行技術として、特許文献１に記載された光ディスクの記録層識別方法がある。
【０００４】
この公報の記録層識別方法では、光ディスクの２層の記録層として第１層トラック及び第２層トラックが形成され、第１層トラックと第２層トラックは、ともにウォブルされ、該ウォブルの位相が途中で変化しており、この位相の変化量が各記録層で異なるように設定されている。従って、各記録層のトラックに施されたウォブルの位相変化量を検出することにより、記録層のトラックが第１層トラックであるか第２層トラックであるかを識別することができる。
【特許文献１】特開２００２−２７９６４７号公報
【発明の開示】
【発明が解決しようとする課題】
【０００５】
上記公報に記載された記録層識別方法では、各記録層のトラックに施されたウォブルの位相変化量を検出する際に、記録面でフォーカスをクローズするとともに、トラッキングをクローズして、ウォブル信号を検出する必要があり、記録層の識別に時間を要するという問題が生じる。
【０００６】
本願が解決しようとする課題には、上記した問題が一例として挙げられる。
【課題を解決するための手段】
【０００７】
請求項１に記載の発明は、少なくとも２層の記録層を備え、各記録層では、トラックが形成されている多層構造の光ディスクであって、前記トラックは、その偏心量が各記録層で異なるように形成されていることを特徴とする。
【０００８】
請求項２に記載の発明は、少なくとも２層の記録層を備え、各記録層では、トラックが形成されている多層構造の光ディスクであって、前記トラックは、そのグルーブからの反射光に基づいて得られるプッシュプル信号の振幅が各記録層で異なるように形成されていることを特徴とする。
【０００９】
請求項３に記載の発明は、少なくとも２層の記録層を備え、各記録層では、グルーブが形成されており、当該グルーブは、半径方向に所定の周期でウォブルされている多層構造の光ディスクであって、前記グルーブは、前記所定の周期より短い周期の高周波信号が重畳されてウォブルされており、前記重畳される高周波信号の周期は、各記録層により異なるように設定されていることを特徴とする。
【００１０】
請求項４に記載の発明は、請求項１記載の光ディスクの記録層を識別する記録層識別方法であって、前記各記録層のトラックに設定された偏心量を検出することにより、記録層を識別することを特徴とする。
【００１１】
請求項５に記載の発明は、請求項２記載の光ディスクの記録層を識別する記録層識別方法であって、前記各記録層のトラックからの反射光に基づいて得られるプッシュプル信号の振幅を検出することにより、記録層を識別することを特徴とする。
【００１２】
請求項６に記載の発明は、請求項３記載の光ディスクの記録層を識別する記録層識別方法であって、前記各記録層のグルーブのウォブルに重畳された高周波信号を検出することにより、記録層を識別することを特徴とする。
【発明を実施するための最良の形態】
【００１３】
次に、本願を実施するための最良の形態について、図面に基づいて説明する。
【００１４】
（Ｉ）第１実施形態
本願に係る第１実施形態について、図１及び図２を用いて説明する。なお、第１実施形態では、光ディスクに２層の記録層が形成され、各記録層では、トラックを構成するグルーブが形成され、前記グルーブは、その偏心量が各記録層で異なるように形成されており、前記各記録層のグルーブに設定された偏心量を検出することにより、記録層を識別する。以下、詳述する。
【００１５】
図１には、本願に係る第１実施形態による光ディスク記録層識別方法を実現するための装置が示され、図２には、本願に係る第１実施形態による光ディスクの半径方向断面構造及び当該光ディスクからの反射信号が示されている。
【００１６】
図２（Ａ）は、光ディスクの半径方向断面構造を示し、図２（Ａ）において、光ディスク１０は基板１２を含み、該基板１２には第１記録層１４及び第１反射層１６が設けられている。当該第１記録層１４及び第１反射層１６には中間層１８を介して第２記録層２０及び第２反射層２２が設けられており、該第２記録層２０及び第２反射層２２には保護層２４が設けられている。なお、第１記録層１４にはグルーブ部１４ａ及びランド部１４ｂが形成され、同様に、第２記録層２０にはグルーブ部２０ａ及びランド部２０ｂが形成されている。
【００１７】
図２（Ａ）の基板１２側から光ビームを照射した際の反射光ビームから得られる半径方向信号波形すなわちトラックを横切った旨を示す信号波形が図２（Ｂ）に示されており、第１記録層１４のグルーブ部１４ａの中間で当該信号は最小になり、第１記録層１４のランド部１４ｂの中間で当該信号は最大になる。図２（Ｃ）には、図２（Ｂ）の信号波形をゼロレベルを基準にして波形整形した信号波形が示されている。
【００１８】
前記第１記録層１４のグルーブ部１４ａは偏心しており、光ディスク１０の１回転の間に光ビームはトラックを横切ることになる。図２（Ｃ）では、光ディスク１０の１回転Ｔの間にカウント値（すなわち横切ったトラック数）４が得られている。従って、
偏心量＝（トラックピッチ）×（カウント値すなわち横切ったトラック数）/ (1回転)
・・・式（１）
となる。
【００１９】
同様にして、前記第２記録層２０のグルーブ部２０ａも偏心しており、光ディスク１０の１回転の間に光ビームはトラックを横切ることになる。ここで、当該第２記録層２０のグルーブ部２０ａの偏心量は、前記第１記録層１４のグルーブ部１４ａの偏心量と異なるように形成されている。一例として、第１記録層１４のグルーブ部１４ａの偏心量は、例えば、０乃至２５μｍに設定され、第２記録層２０のグルーブ部２０ａの偏心量は、例えば、３５乃至６０μｍに設定されており、グルーブ部１４ａの偏心量０乃至２５μｍとグルーブ部２０ａの偏心量３５乃至６０μｍとの間には、例えば１０μｍ程度の境界領域が設定されている。なお、グルーブ部１４ａの偏心量０乃至２５μｍ、グルーブ部２０ａの偏心量３５乃至６０μｍ、及び、境界領域１０μｍは一例であり、これに限られるものではない。
【００２０】
上記のように構成された光ディスクによれば、各記録層１４、２０のグルーブ部１４ａ、２０ａに設定された偏心量を検出することにより、記録層１４、２０を識別することができる。この第１実施形態では、光ビームのトラッキンングサーボループがオープンであったとしてもフォーカスサーボループがクローズしていれば、記録層の識別が可能であり、簡便かつ迅速に記録層の識別が可能である。
【００２１】
次に、図１を参照しながら、第１実施形態による光ディスク記録層識別方法を実現するための装置を説明する。
【００２２】
図１において、スピンドルモータ２６の駆動シャフト２６ａにはターンテーブル２８が取付けられ、該ターンテーブル２８には図２（Ａ）に示される光ディスク１０が載置されている。スピンドルモータ２６からの回転数信号１００はロータリーエンコーダ３０に供給され、該ロータリーエンコーダ３０は、光ディスク１０が１回転した際に１回転信号１０２を計測回路３２に供給する。一方、光ディスク１０の下方には光ピックアップ３４が配置され、該光ピックアップ３４は、光ディスク１０に光ビームを照射し、光ディスク１０からの反射光ビームを検出してトラッキングエラー信号１０４を計測回路３２に供給する。計測回路３２では、１回転信号１０２及びトラッキングエラー信号１０４に基づいて、光ディスク１０の１回転の間に光ビームが横切ったトラック数をカウントし、トラック数のカウント値信号１０６を層識別回路３６に供給する。層識別回路３６は、供給されたカウント値信号１０６に基づき前記式（１）を用いて、偏心量を求める。偏心量は、記録層１４、２０のグルーブ部１４ａ、２０ａごとに異なっているので、偏心量に基づいて記録層１４、２０を識別することができる。
【００２３】
（II）第２実施形態
次に、本願に係る他の実施形態である第２実施形態について、図３及び図４を用いて説明する。なお、第２実施形態では、光ディスクに２層の記録層が形成され、各記録層ではトラックを構成するグルーブが形成されており、前記グルーブは、そのグルーブからの反射光に基づいて得られるプッシュプル信号の振幅が各記録層で異なるように形成されており、各記録層のグルーブからの反射光に基づいて得られるプッシュプル信号の振幅を検出することにより、記録層を識別する。以下、詳述する。
【００２４】
図３には、本願に係る第２実施形態による光ディスク記録層識別方法を実現するための装置が示され、図４には、本願に係る第２実施形態による２層構造光ディスク内の第１記録層の半径方向断面構造及び当該光ディスクの第１記録層からの反射信号が示されている。
【００２５】
図４（Ａ）は、２層構造光ディスク内の第１記録層の半径方向断面構造を示し、図４（Ａ）において、光ディスク３８の第１記録層４０には、グルーブ部４０ａ及びランド部４０ｂが形成され、図４（Ａ）では図示しないが、第２記録層にもグルーブ部及びランド部が形成されている。
【００２６】
図４（Ｂ）は、図４（Ａ）に示された２層構造光ディスク内の第１記録層のグルーブからの反射光に基づいて得られるプッシュプル信号（すなわちトラッキングエラー信号）の波形が示されている。図４（Ｂ）の波形において、符号Ｌは、プッシュプル信号の振幅を示す。
【００２７】
上記プッシュプル信号について説明すると、プッシュプル信号の振幅は、グルーブ部の位相深さがλ/８(λ：記録再生ビームの波長)で最大になり、グルーブ部の位相深さがλ/４でゼロになる。従って、第１記録層及び第２記録層のグルーブ部の位相深さをλ/８とλ/４との間で異なるように設定することにより、プッシュプル信号の振幅に基づいて第１記録層及び第２記録層を識別することができる。一例として、第１記録層のグルーブ部の位相深さを例えばλ/７に設定し、且つ、第２記録層のグルーブ部の位相深さを例えばλ/６に設定することにより、プッシュプル信号の振幅に基づいて第１記録層及び第２記録層を識別することができる。なお、第１記録層のグルーブ部の位相深さλ/７、及び、第２記録層のグルーブ部の位相深さλ/６は一例であり、これに限られるものではない。
【００２８】
上記のように構成された光ディスクによれば、第１記録層及び第２記録層のグルーブからの反射光に基づいて得られるプッシュプル信号の振幅を検出することにより、第１記録層及び第２記録層を識別することができる。この第２実施形態では、光ビームのトラッキンングサーボループがオープンであったとしてもフォーカスサーボループがクローズしていれば、記録層の識別が可能であり、簡便かつ迅速に記録層の識別が可能である。
【００２９】
次に、図３を参照しながら、第２実施形態による光ディスク記録層識別方法を実現するための装置を説明する。
【００３０】
図３において、光ディスク３８の下方には光ピックアップ４２が配置され、当該光ピックアップ４２は、２分割ディテクタ４４ａ、４４ｂを含む。光ピックアップ４２は、光ディスク３８に光ビームを照射し、光ディスク３８からの反射光ビームを２分割ディテクタ４４ａ、４４ｂで検出する。２分割ディテクタ４４ａ、４４ｂからの検出信号１０８ａ、１０８ｂは、差演算回路４６に供給されてプッシュプル信号が１１０が形成され、当該プッシュプル信号１１０は、層識別回路４８に供給される。層識別回路４８では、プッシュプル信号１１０の振幅に基づいて記録層を識別することができる。
【００３１】
なお、第１実施形態及び第２実施形態は、記録再生可能な光ディスクに適用されているが、読取専用光ディスクに適用することも可能である。
【００３２】
（III）第３実施形態
次に、本願に係る更に他の実施形態である第３実施形態について、図５を用いて説明する。なお、第３実施形態では、光ディスクに２層の記録層が形成され、各記録層では、トラックを構成するグルーブが形成されており、当該グルーブは、半径方向に所定の周期でウォブルされている。前記所定のウォブル周期の周波数としては、例えば、１４０ｋＨｚである。ここで、前記グルーブは、前記所定の周期より短い周期の高周波信号が重畳されてウォブルされており、前記重畳される高周波信号の周期は、各記録層により異なるように設定されている。第１記録層のグルーブには、例えば、３００ｋＨｚの高周波信号が重畳されてウォブルされており、第２記録層のグルーブには、例えば、５００ｋＨｚの高周波信号が重畳されてウォブルされている。従って、各記録層のグルーブのウォブルに重畳された高周波信号を検出することにより、記録層を識別することができる。なお、重畳される高周波信号の周波数３００ｋＨｚ及び５００ｋＨｚは、所定のウォブル周期の周波数１４０ｋＨｚから充分離れて設定されたものである。また、所定のウォブル周期の周波数１４０ｋＨｚ、重畳される高周波信号の周波数３００ｋＨｚ及び５００ｋＨｚは、一例であり、これに限られるものではない。
【００３３】
図５には、本願に係る第３実施形態による光ディスク記録層識別方法を実現するための装置が示されている。
【００３４】
図５において、光ディスク５０の下方には光ピックアップ５２が配置され、光ピックアップ５２は、光ディスク５０に光ビームを照射し、反射光ビームに基づいて検出信号１１２を出力する。検出信号１１２は、ウォブル周波数検出回路５３に供給され、記録層のグルーブのウォブル周波数が検出される。検出回路５３からのウォブル周波数信号１１３は、第１バンドパスフィルタ５４及び第２バンドパスフィルタ５６に供給され、第１バンドパスフィルタ５４及び第２バンドパスフィルタ５６の周波数は、上述の例では、それぞれ、３００ｋＨｚ及び５００ｋＨｚに設定されている。第１バンドパスフィルタ５４及び第２バンドパスフィルタ５６からの信号１１４、１１６は、層識別回路５８に供給される。従って、層識別回路５８では、第１バンドパスフィルタ５４及び第２バンドパスフィルタ５６のうちいずれかから信号が出力されたかに基づいて、記録層を識別することができる。
【００３５】
なお、第３実施形態においては、記録層の識別の際に、光ビームのトラッキンングサーボループ及びフォーカスサーボープをともにクローズする必要がある。しかしながら、前述した特開２００２−２７９６４７号公報の記録層識別方法では、各記録層のトラックに施されたウォブルの位相変化量を検出することにより、記録層のトラックが第１層トラックであるか第２層トラックであるかを識別しており、第３実施形態は、当該公報の記録層識別方法に対して識別に長時間を要さないという点で優位性を有する。
【図面の簡単な説明】
【００３６】
【図１】本願に係る第１実施形態による光ディスク記録層識別方法を実現するための装置を示す図である。
【図２】本願に係る第１実施形態による光ディスクの半径方向断面構造及び当該光ディスクからの反射信号を示す図である。
【図３】本願に係る第２実施形態による光ディスク記録層識別方法を実現するための装置を示す図である。
【図４】本願に係る第２実施形態による２層構造光ディスク内の第１記録層の半径方向断面構造及び当該光ディスクの第１記録層からの反射信号を示す図である。
【図５】本願に係る第３実施形態による光ディスク記録層識別方法を実現するための装置を示す図である。
【符号の説明】
【００３７】
１０    光ディスク
１４    第１記録層
１４ａ  グルーブ部
２０    第２記録層
２０ａ  グルーブ部
２６    スピンドルモータ
２８    ターンテーブル
３０    ロータリーエンコーダ
３２    計測回路
３４    光ピックアップ
３６    層識別回路
【図１】
2005276323.tif 000003
【図２】
2005276323.tif 000004
【図３】
2005276323.tif 000005
【図４】
2005276323.tif 000006
【図５】
2005276323.tif 000007